(57)【要約】   【課題】    踵を覆う部分のない履物を履いたとき、丈の長いズボンの裾が足の踵と靴の踵部の間に入り込み、ズボン裾を踏んでしまうことがあるので、ズボン裾が足の踵と靴の踵部の間に入り込むことを防止すること。また特に女性はズボン裾を踏むことでズボンのスタイルが著しく損なわれるので、ズボン本来のスタイルを保つということも課題とする。  【解決手段】踵の形に合わせて、くの字型をなす踵後部（１）と踵底部（２）、および踵底部裏面の固定手段を有する履物用補助具を履物に直接取り付ける。      【選択図】図１
0003126936.tif 000002
【実用新案登録請求の範囲】
【請求項１】
ズボンの裾が踵と靴の間に入り込むことを防止する履物用補助具で、踵の形に合わせるようにくの字をしていて、踵後部と踵底部からなる本体部と踵で直接踏む部分の踵底部裏面には履物に直接固定するための固定手段とを有する履物用補助具。
【請求項２】
前記踵後部の上部が外側にＵの字に折れ曲がり、バックストラップを引っ掛ける部分を有する請求項３記載の履物用補助具。
【考案の詳細な説明】
【技術分野】
【０００１】
本考案はサンダル、バックバンドパンプスなどの踵を覆う部分のない履物を履いたときに、丈の長いズボンの裾を足の踵と靴の踵部で踏むことを防止し、ズボンの裾を後ろから見たときに、ズボン本来のスタイルを損なわないように履物に取り付ける履物用補助具に関する。
【背景技術】
【０００２】
女性の丈の長いズボンは近年においてスカートや丈の短いズボンよりも需要が高いにもかかわらずそのシルエットを保つための履物や本考案のような補助具がほとんどない。
【考案の開示】
【考案が解決しようとする課題】
【０００３】
踵を覆う部分のない履物を履いたとき、丈の長いズボンの裾が足の踵と靴の踵部の間に入り込み、ズボン裾を踏んでしまうことがあるので、ズボン裾が足の踵と靴の踵部の間に入り込むことを防止すること。また特に女性はズボン裾を踏むことでズボンのスタイルが著しく損なわれるので、ズボン本来のスタイルを保つということも課題とする。
【課題を解決するための手段】
【０００４】
上記課題を解決するために、踵の形に合わせるようにくの字型で、踵後部と踵底部からなり、踵底部裏面に固定手段を持つ本考案である履物用補助具を履物踵部に直接取り付ける。バックストラップを有する履物は補助具後部のＵの字部分にバックストラップを引っ掛けて、バックストラップを固定する。  
【考案の効果】
【０００５】
履物用補助具は、サンダルやバックバンドパンプスなどの踵部のない履物の踵部に、直接取り付けて歩行中に出来る、足の踵部と履物との隙間をなくすことで、丈の長いズボン裾が踵と靴との間に入り込むことを防止する。また、ズボン裾を踏み込まないことで、ズボン本来のスタイルを損なうことがなく、後ろから見たときのズボン裾のシルエットを保ち、足長効果を発揮する。補助具底部裏面に固定手段を有することで、歩行中に補助具が履物から落ちてしまうことを防止する。履物用補助具は着脱を可能とするので任意の履物に適用することが出来る。不要の時には取り外して履物を使用することが出来る。
【０００６】
バックストラップのある履物は、踵後部のＵの字に折れ曲がった部分にバックストラップを引っ掛けることで、バックストラップが補助具の上を滑って上下することがなくなり、バックストラップを固定することが出来る。                    
【考案を実施するための最良の形態】
【０００７】
履物用補助具は、くの字型をしていて、踵後部と踵底部からなり、その角度は８５度〜９０度の間のものが踵に合いやすく、使用しやすい。補助具後部の形は左右に踵を覆うような湾曲形で幅が４〜５センチメートルの範囲、高さが３〜５センチメートルの範囲、厚みは１〜２ミリメートルが好ましい。補助具後部のＵの字に折れ曲がっている部分はバックストラップを引っ掛ける事ができる程度が好ましく、１センチメートルほどあれば十分である。折れ曲がっている部分と補助具外側との間は、ストラップを引っ掛けるのに３〜４ミリメートルあるのが適当である。踵で直接踏む部分である補助具底部はつま先に向かって半楕円形で、つま先と踵に向かって直径３〜５センチメートル、踵の左右に向かって直径２〜４センチメートルの範囲内が好ましい。補助具は大中小のサイズがあると、使用する人が選択できるのでより好ましい。厚みは補助具後部と同様に１〜２ミリメートルほどが好ましい。素材は柔軟性と強度を持つもので、ポリエチレンなどが適している。表面はストッキングや靴下を履いて使用したときに損傷を与えないよう、凹凸がなく、滑らかなものが良い。また素材の色は目立たないように、透明または半透明の物が良い。履物用補助具は、サンダルやバックバンドパンプスなどの踵部のない履物踵部に直接取り付ける。
【０００８】
踵底部裏面の固定手段はアクリル系粘着剤などで出来ている、着脱が可能な両面粘着シートが好ましい。両面粘着シートは足で直接踏む補助具の一部分なので、履物と補助具底部に段差が出来ないようにするためにも、その厚みは薄ければ薄いほど好ましい。
両面粘着シートは着脱が可能なものであると、粘着シートのみ履物用補助具から剥がして、新しいものに取替えることが出来る。
両面粘着シートは補助具底部面と同じくらいの大きさにすると履物から外れにくくなるので望ましい。
【０００９】
履物用補助具は足を組んだ時などに見えてもファッション性を損なうことがように、後部外側には装飾を施しても良い。例えば、ネイルアートの装飾品や携帯電話の装飾品など市販されているものを直接補助具に貼り付けて、適宜、ファッションスタイルに合わせても良い。
【００１０】
次に、以上のような構成を有する履物用補助具の使用方法を図面を参照しながら説明する。
図１と図２は踵を覆う部分のないサンダルに、履物用補助具を取り付けた好ましい実施形態を示す。図１（１）は履物用補助具の後部で、（２）はその底部である。      （２）の裏面に両面粘着シートを付けて、直接サンダル踵部に貼り付ける。補助具の取り付け位置は、図１、２、３のように履物の踵部に合わせても良いが、履物がきつくなるようであれば、履物よりも２〜３ミリメートルほど外側に取り付けても良い。
【００１１】
図３は履物用補助具をバックバンドパンプスに取り付けた好ましい実施形態を示す。バックバンドのある履物はバックバンドを補助具の図３（４）のＵの字に折れ曲がった部分に引っ掛けて履くと、バックバンドが補助具の上で滑って上下することがなくなる。履物用補助具の取り付け位置はサンダルに装着するとき同様に履物踵最後部に合わせるか、２〜３ミリメートル履物より外側に取り付けることが好ましい。履物を履く本人がきつくならないように位置を決め固定することが、最も好ましい。
【図面の簡単な説明】
【００１２】
【図１】踵部のないサンダルに本考案である履物用補助具を装着した図面である。
【図２】図１を横から見た図面である。
【図３】バックバンドパンプスに本考案である履物用補助具を装着したものを横から見た図面である。
【符号の説明】
【００１３】
（１）履物用補助具の踵後部
（２）履物用補助具の踵底部
（３）両面粘着シート
（４）履物用補助具のＵの字に折れ曲がった部分
【図１】
0003126936.tif 000003
【図２】
0003126936.tif 000004
【図３】
0003126936.tif 000005
【手続補正書】
【提出日】平成18年9月12日(2006.9.12)
【手続補正１】
【補正対象書類名】実用新案登録請求の範囲
【補正対象項目名】請求項２
【補正方法】変更
【補正の内容】
【請求項２】
前記踵後部の上部が外側にＵの字に折れ曲がり、バックストラップを引っ掛ける部分を
有する請求項１記載の履物用補助具。